(57)【要約】【課題】大きさの異なるケーブルハンガーリングの着脱を行うには、ケーブルハンガーリングを固定する支持体の交換が必要なため作業時間が長くなり、尚かつ構成部品が多くなりコストが高くなると言う問題があった。【解決の手段】ケーブルハンガーリング（１３）は、掛け金具支持棒（３）と掛け金具（４）を掛け止めし、スプリング（９）の作用により、ハンガー支持部（２）にしっかりと固定される。弾力性のある掛け金具支持棒（３）と掛け金具（４）の作用により大きさの異なるケーブルハンガーリング（１３）も部品を交換することなく固定可能であり、取り付け完了後には、解除ひも（７）を下部に引くことによりケーブルハンガーリング（１３）の固定状態を簡単に解除することができるという改良も加えられた。【選択図】    図２
2006300301.tif 000002
【特許請求の範囲】
【請求項１】
上下に長い構造の着脱工具本体（１）の上端部に、上下に対し９０度で左右方向となる着脱工具本体（１）の幅方向に、ケーブルハンガーリング（１３）を支持するＵ字もしくは凹状構造を持つ、ハンガー支持部（２）を設け、前記着脱工具本体（１）の上端部より下の着脱工具本体（１）に沿って上下方向に移動可能に設けた、掛け金具固定金具（８）の左右方向両端に、上部方向先端に鍵状の曲がりを設け、さらに鍵状曲がり部を、前記着脱工具本体（１）の胴部中心方向に折れ曲げた構造を有する掛け金具（４）を１対設け、前記掛け金具固定金具（８）の下に、前記着脱工具本体（１）に沿って上下方向に移動可能に設けた、支持棒固定金具（５）の左右方向両端に、前記掛け金具（４）の上部方向先端より高い位置までの長さを有する掛け金具支持棒（３）を１対設け、前記掛け金具固定金具（８）を下部方向に下げる作用を有するスプリング（９）を設けることを特徴とするケーブルハンガーリング着脱工具である。
【発明の詳細な説明】
【技術分野】
【０００１】本発明は、電気通信設備の架空丸形通信線である、メタルケーブル，光ファイバーケーブル等を吊り線（メッセンジャーワイヤ）に吊架するケーブルハンガーリングの着脱工具に関するものである。
【背景技術】
【０００２】
【特許文献１】特許公開平８−１３０８１０
【０００３】
【特許文献２】特許公開２００４−２３８１１
【発明の開示】
【発明が解決しようとする課題】
【０００４】従来、架空丸形通信線を吊架する際、ケーブルハンガーリングの取付作業は高所作業車のバケットに乗って作業者の手作業により行うか、吊り線に吊るした宙乗作業機に乗ったり、吊線に立て掛けた梯子に昇ったり、作業者はいずれの場合も危険な高所作業を手作業で行っていた。【０００５】しかし、近年は特許公開平８−１３０８１０および特許公開２００４−２３８１１に示す、ケーブルハンガーリング着脱工具が発明されたが、何れの発明も大きさの異なるケーブルハンガーリングの着脱を行うには、ケーブルハンガーリングを固定する支持体の交換が必要なため作業時間が長くなり、尚かつ構成部品が多くなりコストが高くなると言う問題があった。さらに従来技術ではケーブルハンガーリングを固定する支持体は、ケーブルハンガーリングを単に挟み込むだけの構造のため、挟み込みが強いと装着後の取り外しが困難であったり、挟み込みが弱いと、作業中に外れてしまうなどの問題もあった。【０００６】本発明は、上記従来の問題を解決することを目的とするもので、部品の交換を必要としないため、作業時間が短縮され、尚かつ交換部品を無くすことによりコストの削減を可能とし、更にはケーブルハンガーリングの固定および解除を作業者の手元で確実に行える機構を有するケーブルハンガーリング着脱工具を提供するものである。
【発明が解決するための手段】
【０００７】本願発明では、以上のような問題を解決するため、上下に長い構造の着脱工具本体（１）の上端部に、上下に対し９０度で左右方向となる着脱工具本体（１）の幅方向に、ケーブルハンガーリング（１３）を支持するＵ字もしくは凹状構造を持つ、ハンガー支持部（２）を設ける。
【０００８】前記、着脱工具本体（１）の上端部より下の着脱工具本体（１）の胴部を上下方向に沿って移動可能に設けた、掛け金具固定金具（８）を設け、前記掛け金具固定金具（８）の左右方向両端に、針金状で上部方向先端に鍵状の曲がりを設け、さらに鍵状曲がり部を、着脱工具本体（１）の胴部中心方向に折り曲げた構造で、上下に５から３０センチメートルの長さで、最適には１０から２０センチメートルの長さを有する、掛け金具（４）を、左右幅方向に対面を成して１対設ける。
【０００９】前記、掛け金具（４）は、着脱工具本体（１）に沿って上下に移動せしめる時、折り曲げた先端部が着脱工具本体（１）およびハンガー支持部（２）に設置した状態のケーブルハンガーリング（１３）にも触れないよう上部方向に放射状に広げて設ける。
【００１０】前記、掛け金具固定金具（８）の下に、前記着脱工具本体（１）の胴部を上下方向に沿って移動可能に設けた、支持棒固定金具（５）を設け、前記、支持棒固定金具（５）の左右方向両端に、掛け金具（４）の上部方向先端より高い位置までの長さを有する針金構造の掛け金具支持棒（３）を左右幅方向に対面を成して１対設ける。
【００１１】前記、掛け金具（４）および掛け金具支持棒（３）は、針金状の構造で弾性力を持つ素材で自由に湾曲できるが、強い復元性を有している。
【００１２】前記、掛け金具固定金具（８）を下部方向に下げる作用を有するスプリング（９）を設ける。前記、スプリング（９）は、掛け金具固定金具（８）の上部に圧縮スプリングとして設けるか、掛け金具固定金具（８）の下部に引張りスプリングとして設けても実現できる。
【００１３】前記、支持棒固定金具（５）を下部方向へ引き下げるための解除ひも（７）を、支持棒固定金具（５）に設けた、解除ひも止め部（６）に固定する。
【００１４】前記、着脱工具本体（１）の上端部に設けたハンガー支持部（２）と９０度を成す左右幅方向に、着脱工具本体（１）の方向を確認し、克つ隣接するケーブルハンガーリングとの距離を確認するための細長い構造の、方向距離測定部材（１２）を設ける。
【００１５】前記、スプリング（９）の強さを調節可能とする、スプリング固定材保持孔（１１）と、それに装着するスプリング固定材（１０）を設けてあることを特徴とするケーブルハンガーリング着脱工具である。
【発明を実施するための最良の形態】
【００１６】本発明を実施するための形態を図面を参照しながら以下に説明する。図２は本願発明のハンガーリング固定時を表す斜視図であるが、本願発明の機能を解りやすくするため、ケーブルハンガーリング（１３）のケーブル保護受け部（１４）は省略してある。この図２によると、大きさの異なるケーブルハンガーリング（１３）も、掛け金具支持棒（３）と掛け金具（４）の弾性力により部品を交換することなく固定されている。【００１７】ケーブルハンガーリング（１３）を固定する手順を示す。まずスプリング（９）の作用により掛け金具固定金具（８）と支持棒固定金具（５）は同時に押し下げられているため掛け金具支持棒（３）と掛け金具（４）は、下部に待避されており、本願発明の着脱工具を表す斜視図の図１の状態である。【００１８】ここでケーブルハンガーリング（１３）を着脱工具本体（１）の上端部に設けたハンガー支持部（２）に乗せる様に置く。次に、支持棒固定金具（５）を押し上げるとスプリングを圧縮し、掛け金具固定金具（８）も同時に押し上げられる。【００１９】そうすると掛け金具支持棒（３）は、ケーブルハンガーリング（１３）の内側でケーブルを受ける側に入り込み、掛け金具（４）は、ケーブルハンガーリング（１３）の外側を囲む様に配置される。【００２０】ここで、掛け金具（４）の鍵状の先端部を掛け金具支持棒（３）に掛け止めた後に、支持棒固定金具（５）を押し上げた力を解き、スプリングの圧縮を解放すると、支持棒固定金具（５）と掛け金具固定金具（８）を下部に押し下げるが、掛け金具（４）と掛け金具支持棒（３）が掛け止まっているため、ケーブルハンガーリング（１３）をハンガー支持部（２）に、しっかりと固定せしめることとなる。【００２１】着脱工具本体（１）は、伸縮ポールなどの、長尺の棒の先端に取り付けられ、地上からケーブルハンガーリング（１３）を吊り線に取り付けが可能となる。【００２２】図３は、本願発明のハンガーリング解除時を表す斜視図を示しており、ケーブルハンガーリング（１３）を取り付けた後、解除ひも（７）を下部に引くと、掛け金具支持棒（３）が、下部に引き抜かれ、掛け金具（４）が外側に解放されるためケーブルハンガーリング（１３）の固定状態を解除することが簡単にでき、取り付け作業が完了する。【００２３】ケーブルハンガーリング（１３）の固定状態を解除するには、着脱工具本体（１）を取り付けた、伸縮ポールなどの長尺の棒を強く下に引き下げるだけでも可能であるが、掛け金具（４）に無理な力を加え、変形を招くため本願発明では、解除ひも（７）による解除方法を示している。【００２４】取り付け作業時、地上からではケーブルハンガーリング（１３）の取り付け部は高く、真下での作業のため目視確認が困難な場合があるが、方向距離測定部材（１２）により、ケーブルとの平行状態や、隣のケーブルハンガーリング（１３）との距離を確認できるため、容易に装着が可能となる。
【発明の効果】
【００２５】以上に示したように本願発明によれば、大きさの異なるケーブルハンガーリング（１３）も、部品の交換を必要としないため、コストが安く、さらに部品交換作業を省略可能なため作業時間の短縮も可能であり、取り付け完了後には、解除ひも（７）を下部に引くことによりケーブルハンガーリング（１３）の固定状態を簡単に解除することができるという改良も加えられたケーブルハンガーリング着脱工具を提供可能な発明である。
【図面の簡単な説明】
【００２６】
【図１】本願発明の着脱工具を表す斜視図。
【００２７】
【図２】本願発明のハンガーリング固定時を表す斜視図。
【００２８】
【図３】本願発明のハンガーリング解除時を表す斜視図。
【符号の説明】
【００２９】１    着脱工具本体
２    ハンガー支持部
３    掛け金具支持棒
４    掛け金具
５    支持棒固定金具
６    解除ひも止め部
７    解除ひも
８    掛け金具固定金具
９    スプリング
１０  スプリング固定材
１１  スプリング固定材保持孔
１２  方向距離測定部材
１３  ケーブルハンガーリング
１４  ケーブル保護受け部
【図１】
2006300301.tif 000003
【図２】
2006300301.tif 000004
【図３】
2006300301.tif 000005